(57)【要約】  本文書は、波長分割多重化（ＷＤＭ）システムにおいて光学信号を多重化するためのフォトニック集積回路（ＰＩＣ）に関する。詳細には本文書は、ＷＤＭシステムにおいて光学信号を多重化するためのＰＩＣのサイズを低減するための方法およびシステムに関する。出力導波路（３４）上に多重化される、対応する複数の異なる波長での複数の光学信号を生成するように構成される光送信器を説明する。送信器は、それぞれ第１の波長および異なる第２の波長での光を放射するように構成される、異なる第１の活性材料および第２の活性材料を備える、第１の変換器（３１ａａ）および第２の変換器（３１ａｂ）を備える。さらに送信器は、第１の変換器（３１ａａ）および第２の変換器（３１ａｂ）の、第１の材料および第２の材料を横断する第１の変換器導波路（３７ａ）を備え、第２の材料が、第１の変換器導波路（３７ａ）の出力端部にあり、第１の材料が、第１の変換器導波路（３７）の出力端部の上流である入力端部（または後方端部）にあり、第２の活性材料が、第１の波長での光に対して透過的であり、第１の変換器導波路（３７ａ）の出力端部が、出力導波路（３４）に通じる。
2013542594.tif 000002
【特許請求の範囲】
【請求項１】
出力導波路（３４）上に多重化される、対応する複数の異なる波長での複数の光学信号を生成するように構成される光送信器であって、
それぞれ第１の波長および異なる第２の波長での光を放射するように構成される、異なる第１の活性材料および第２の活性材料を備える、第１の変換器（３１ａａ）および第２の変換器（３１ａｂ）であって、前記第１の活性材料が、前記第２の波長での前記光を吸収するように構成され、前記第２の波長が、前記第１の波長より小さい、第１の変換器（３１ａａ）および第２の変換器（３１ａｂ）と、
前記第１の変換器（３１ａａ）および前記第２の変換器（３１ａｂ）の、前記第１の材料および前記第２の材料を横断する第１の変換器導波路（３７ａ）であって、前記第２の材料が、前記第１の変換器導波路（３７ａ）の出力端部にあり、前記第１の材料が、前記第１の変換器導波路（３７ａ）の前記出力端部の上流である入力端部にあり、前記第２の活性材料が、前記第１の波長での前記光に対して透過的であり、前記第１の変換器導波路（３７ａ）の前記出力端部が、前記出力導波路（３４）に結合される、第１の変換器導波路（３７ａ）と
を備える、送信器。
【請求項２】
前記第１の変換器（３１ａａ）が、前記第１の活性材料を使用する第１のレーザを備え、前記第２の変換器（３１ａｂ）が、前記第２の活性材料を使用する第２のレーザを備える、請求項１に記載の送信器。
【請求項３】
前記第１の変換器（３１ａａ）が、前記第１の波長に関連付けられる第１の回折格子周期での第１の回折格子（３６ａａ）を備え、前記第２の変換器（３１ａｂ）が、前記第２の波長に関連付けられる第２の回折格子周期での第２の回折格子（３６ａｂ）を備える、請求項１乃至２のいずれか１項に記載の送信器。
【請求項４】
前記第１の変換器（３１ａａ）の出力端部に、および前記第２の変換器（３１ａｂ）の入力端部に布置される半透明反射器（３５ａｂ）であって、前記第２の波長での光に対して実質的に反射的である、半透明反射器（３５ａｂ）
をさらに備える、請求項１乃至３のいずれか１項に記載の送信器。
【請求項５】
前記第１の材料および前記第２の材料が、ガリウム、インジウム、アルミニウム、亜リン酸、および／またはヒ化物を含む材料の群からの半導体材料であり、
前記送信器が、フォトニック集積回路である、
請求項１乃至４のいずれか１項に記載の送信器。
【請求項６】
前記送信器が、光低密度波長分割多重化送信器である、請求項１乃至５のいずれか１項に記載の送信器。
【請求項７】
前記送信器が、ｋ＝１、…、Ｋであり、ｎ＝１、…、Ｎであり、ここでＫ＞１であり、Ｎ＞１である、Ｎ個の変換器ＣｋｎのＫ個の群（３１ａ、３１ｂ、３１ｃ、３１ｄ）を備え、各々の群が、変換器導波路Ｗｋ上に多重化される、ｎ＝１、…、Ｎである波長λｋｎでのＮ個の光学信号を含む直列多重化された光学信号Ｓｋを生成するように構成され、
前記変換器Ｃｋｎがそれぞれ、前記波長λｋｎでの光を放射するように構成される異なる活性材料Ｍｋｎを備え、
前記第１の変換器（３１ａａ）および前記第２の変換器（３１ａｂ）がそれぞれ、前記変換器Ｃ１１およびＣ１２に対応し、
前記第１の活性材料および前記第２の活性材料がそれぞれ、前記材料Ｍ１１およびＭ１２に対応し、
前記第１の変換器導波路（３７ａ）が、Ｎ個の光変換器Ｃ１ｎの前記第１の群の前記変換器導波路Ｗ１に対応し、
ｋ＝１、…、Ｋである前記変換器導波路Ｗｋが、光変換器の前記第ｋの群の、ｎ＝１、…、Ｎである前記Ｎ個の活性材料Ｍｋｎを横断し、材料ＭｋＮが、前記導波路Ｗｋの出力端部にあり、材料Ｍｋ１が、前記導波路Ｗｋの前記出力端部の上流である入力端部にあり、
材料Ｍｋｉが、ｊ＜ｉである波長λｋｊでの光に対して透過的であるように構成され、
材料Ｍｋｉが、ｊ＞ｉである波長λｋｊでの光を吸収するように構成され、
前記送信器が、前記Ｋ個の変換器導波路Ｗｋの前記出力端部での前記Ｋ個の直列多重化された光学信号Ｓｋを、前記出力導波路（３４）上に多重化するように構成される光コンバイナ（３２、３３）を備える、
請求項１乃至６のいずれか１項に記載の送信器。
【請求項８】
前記変換器Ｃｋｎがそれぞれ、回折格子周期Λｋｎでの回折格子Ｇｋｎを備え、
前記第１の回折格子（３６ａａ）および前記第２の回折格子（３６ａｂ）がそれぞれ、前記回折格子Ｇ１１およびＧ１２に対応し、
前記回折格子周期Λｋｎが、前記対応する変換器Ｃｋｎにより放射される前記光の前記波長λｋｎに関連付けられる、
請求項７に記載の送信器。
【請求項９】
変換器Ｃｋｎの前記Ｋ個の群が、前記Ｋ個のコンバイナ導波路Ｗｋの前記出力端部が相互に対して横方向の距離をおくように、相互に対して横方向に隔置され、
前記コンバイナが、前記Ｋ個のコンバイナ導波路Ｗｋ間の前記横方向の距離が漸進的に低減される、第１の統合部（３２）を備え、
前記コンバイナが、前記直列多重化された光学信号Ｓｋが、前記出力導波路に通じる接合導波路内部で重畳される、第２の統合部（３３）を備える、
請求項７乃至８のいずれか１項に記載の送信器。
【請求項１０】
前記第１の統合部（３２）が、前記Ｋ個のコンバイナ導波路Ｗｋ間の前記距離を漸進的に低減するように構成される複数のＳ字導波路を備える、請求項９に記載の送信器。
【請求項１１】
前記コンバイナ（３２、３３）が、マルチモード干渉マルチプレクサである、請求項７乃至１０のいずれか１項に記載の送信器。
【請求項１２】
前記活性材料Ｍｋｎおよび前記対応する波長λｋｎが、前記コンバイナ導波路Ｗｋに沿った変換器の前記第ｋの群の隣接する変換器Ｃｋｉ、Ｃｋｉ＋１の少なくとも１つの対に対して、変換器Ｃｋｉ＋１により放射される波長λｋｉ＋１より大きく、変換器Ｃｋｉにより放射される波長λｋｉより小さい、ｋ＝１、…、Ｋであり、ｎ＝１、…、Ｎである波長λｋｎの組のＫ−１個の波長が存在するように配置構成される、請求項７乃至１１のいずれか１項に記載の送信器。
【請求項１３】
前記活性材料Ｍｋｎおよび前記対応する波長λｋｎが、任意のｋ＞ｉに対してλｋｎ＞λｉｎであり、任意のｉ＞ｎに対してλｋｎ＞λｋｉであるように配置構成される、請求項１２に記載の送信器。
【請求項１４】
出力導波路上に多重化される、対応する複数の異なる波長での複数の光学信号を生成するための方法であって、
第１の波長および異なる第２の波長での光を放射するように構成される、異なる第１の活性材料および第２の活性材料を備える、第１の変換器（３１ａａ）および第２の変換器（３１ａｂ）を用意するステップであって、前記第１の活性材料が、前記第２の波長での前記光を吸収するように構成され、前記第２の波長が、前記第１の波長より小さいステップと、
前記第１の変換器（３１ａａ）および前記第２の変換器（３１ａｂ）の、前記第１の材料および前記第２の材料を横断する第１の変換器導波路（３７ａ）を用意するステップであって、前記第２の材料が、前記第１の変換器導波路（３７ａ）の出力端部にあり、前記第１の材料が、前記第１の変換器導波路（３７ａ）の前記出力端部の上流である入力端部にあり、前記第２の活性材料が、前記第１の波長での前記光に対して透過的であり、前記第１の変換器導波路（３７ａ）の前記出力端部が、前記出力導波路（３４）に結合されるステップと
を含む、方法。
【発明の詳細な説明】
【技術分野】
【０００１】
本文書は、波長分割多重化（ＷＤＭ）システムにおいて光学信号を多重化するためのフォトニック集積回路（ＰＩＣ）に関する。詳細には本文書は、ＷＤＭシステムにおいて光学信号を多重化するためのＰＩＣのサイズを低減するための方法およびシステムに関する。
【背景技術】
【０００２】
ＰＩＣは、パッケージング・コストおよび多波長放射器の設置面積を低減するために開発されてきた。１つの主な市場は、メトロポリタン・エリア・ネットワークである。
【０００３】
ＰＩＣは、今ではアクセス・ネットワーク用のものが予見されている。次世代のアクセス・ネットワークでは、波長分割多重化（ＷＤＭ）が、アクセス・ネットワークの柔軟性、加入者の数および光割当量（ｏｐｔｉｃａｌ  ｂｕｄｇｅｔ）を増大するために出現することになる（パワースプリッタが波長デマルチプレクサにより置換される可能性があり、そのことによってさらに、可能な加入者の数が増大することになる）。
【０００４】
光ファイバ通信においてＷＤＭは、異なる信号を搬送するために異なる波長を使用することにより、単一の光導波路（例えば光ファイバ）上で複数の光キャリア信号を多重化する技術である。このことは、同じ光導波路を介した双方向通信を可能にすることに加えて、容量の増大を考慮したものである。ＷＤＭシステムではマルチプレクサが、異なる波長に対応する異なる光学信号を同じ導波路上に一体に統合するために使用され、デマルチプレクサが典型的には、導波路から異なる光学信号を分離するために使用される。デバイスが両方のことを同時に行う場合、そのデバイスは、光アド・ドロップ・マルチプレクサとして使用され得る。
【発明の概要】
【発明が解決しようとする課題】
【０００５】
アクセス・ネットワークでは、ネットワーク構成要素、例えばＷＤＭ送信器のコストは重要な問題点である。結果としてＷＤＭは、非冷却の光放射器を使用するために、（例えば２０ｎｍの波長間隔を伴って）低密度になる可能性が最も高いことになる。さらに、低い製造コストでＷＤＭ送信器を提供するためには、高度の集積化を実現することが望ましい、すなわち、ＰＩＣの限られた空間上で大きな数の異なる波長での光を送信可能なＷＤＭ送信器を提供することが望ましい。本文書では、そのようなＷＤＭ送信器およびそのようなＷＤＭ送信器を実装するための対応する方法を説明する。
【課題を解決するための手段】
【０００６】
ある態様にしたがって、光送信器または光放射器を説明する。詳細には、光ＣＷＤＭ放射器または送信器を説明する。放射器または送信器は、フォトニック集積回路（ＰＩＣ）上に集積され得る。送信器は、出力導波路上に多重化される、対応する複数の異なる波長での複数の光学信号を生成するように構成され得る。波長は、１３００ｎｍから１６００ｎｍの範囲内であり得る。波長間の間隔は、約２０ｎｍ以上であり得る。
【０００７】
送信器は、第１の波長および異なる第２の波長での光を放射するように構成される、異なる第１の活性材料および第２の活性材料を備える、第１の変換器および第２の変換器を備え得る。第１の変換器および第２の変換器は、電気信号を光学信号に変換するように構成される電気光変換器であり得る。詳細には変換器は、変調された電気信号を変調された光学信号に変換するように構成され得る。
【０００８】
送信器は、第１の変換器および第２の変換器の、第１の材料および第２の材料を、横断または通過する第１の変換器導波路を備え得る。第２の材料は、第１の変換器導波路の出力端部にあり得るものであり、第１の材料は、第１の変換器導波路の出力端部の上流または反対側である入力端部（例えば送信器の後方端部）にあり得る。第１の変換器導波路の出力端部は、光送信器の出力端部に、すなわち出力導波路に向けられ得る。換言すれば、第１の変換器導波路の出力端部は、典型的には出力導波路に通じる。
【０００９】
第２の活性材料は、第１の波長での光に対して透過的であり得る。他方で第１の活性材料は、第２の波長での光を吸収するように構成され得る。このことは、適切な半導体材料、例えばインジウム（Ｉｎ）、ガリウム（Ｇａ）、アルミニウム（Ａｌ）、ヒ化物（Ａｓ）、および／または亜リン酸（Ｐ）の適切な組成物を選択することにより実現することができる。詳細にはこのことは、第２の波長が第１の波長より小さい場合に実現することができる。
【００１０】
変換器を、第１の変換器の出力端部に、および第２の変換器の入力端部に布置される半透明反射器により離隔することができ、半透明反射器は、第２の波長での光に対して実質的に反射的である。このことを行うことにより、第１の波長と第２の波長との間の後部方向のクロストークを低減することができる。加えて半透明反射器は、第１の波長での光に対して透過的であり得る。
【００１１】
第１の変換器が、第１の活性材料を使用する第１のレーザを備え得るとともに、第２の変換器が、第２の活性材料を使用する第２のレーザを備え得る。レーザは、分布帰還型レーザ（ＤＦＢ）であり得る。そのようなレーザは、第１の変換器導波路に沿った回折格子を備え得る。そのような回折格子は、第１の変換器導波路の材料の屈折率の周期的な変動を含み得るものであり、周期的な変動の長さを、典型的には回折格子周期または回折格子ピッチΛと呼ぶ。詳細には第１の変換器は、第１の回折格子周期での第１の回折格子を備え得るものであり、第１の回折格子周期は、第１の波長に基づいて選択される、すなわち第１の回折格子周期は、第１の波長に関連付けられる。加えて第２の変換器は、第２の回折格子周期での第２の回折格子を備え得るものであり、第２の回折格子周期は、第２の波長に基づいて選択される、すなわち第２の回折格子周期は、第２の波長に関連付けられる。第１の回折格子および第２の回折格子、すなわちそれらの実効屈折率ｎｅｆｆおよび／またはそれらの回折格子周期は、典型的にはそれぞれ第１の波長および第２の波長で高い反射率を有するように構成される。さらに第１の回折格子および第２の回折格子はそれぞれ、第１の波長および第２の波長以外の波長で透過的であるように構成され得る。
【００１２】
送信器は、ｋ＝１、…、Ｋであり、ｎ＝１、…、Ｎであり、ここでＫ＞１であり、Ｎ＞１である、Ｎ個の変換器ＣｋｎのＫ個の群を備え得る。すなわち、変換器の第１の群の一部であり得る第１の変換器および第２の変換器に加えて、送信器は、変換器の追加的な群を備え得る。Ｋは、２、４、および／または８以上であり得る。Ｋは、４、８、１６、または３２以下であり得る。Ｎは、２、３、４、８以上であり得る。Ｎは、４、８、１６、または３２以下であり得る。変換器の各々の群は、対応する変換器導波路Ｗｋ上に多重化される、波長λｋｎでのＮ個の光学信号Ｓｋｎを生成するように構成され得る。結果として、ｎ＝１、…、ＮであるＮ個の異なる波長λｋｎを含む直列多重化された光学信号Ｓｋが、変換器導波路Ｗｋの出力端部で取得され得る。すなわち第１の変換器導波路に加えて、送信器は、変換器の他の追加的な群に対するさらなる変換器導波路Ｗｋを備え得る。変換器Ｃｋｎはそれぞれ、波長λｋｎでの光を放射するように構成される異なる活性材料Ｍｋｎを備え得る。すなわち各々の変換器は、異なる波長での光を放射するように構成される異なる活性材料を備え得る。
【００１３】
上記ですでに示したように、第１の変換器および第２の変換器はそれぞれ、変換器Ｃ１１およびＣ１２に対応し得る。さらに第１の活性材料および第２の活性材料はそれぞれ、材料Ｍ１１およびＭ１２に対応し得る。加えて第１の変換器導波路は、ｎ＝１、…、ＮであるＮ個の光変換器Ｃ１ｎの第１の群を横断する変換器導波路Ｗ１に対応し得る。
【００１４】
第１の変換器導波路に対してと同様の様式で、ｋ＝１、…、Ｋである変換器導波路Ｗｋは、光変換器の第ｋの群の、ｎ＝１、…、ＮであるＮ個の活性材料Ｍｋｎを横断する。換言すれば光変換器の各々の群は、専用の変換器導波路Ｗｋにより横断される。一般性を失うことなく、変換器、波長、および材料のインデックス付けは、（すべてのｋに対して）材料ＭｋＮが、導波路Ｗｋの出力端部にあり、材料Ｍｋ１が、導波路Ｗｋの出力端部の上流および／または反対側である入力端部にあるようなものである。
【００１５】
変換器の第ｋの群に沿った直列多重化を遂行するために、材料Ｍｋｉは、ｊ＜ｉである波長λｋｊでの光に対して透過的であるように、かつ／または、その光を、影響を受けない状態にしておくように構成され得る。この条件は、すべてのｉ、ｊ＝１、…、Ｎに対して満たされ得る。代わりに、または加えて、材料Ｍｋｉは、ｊ＞ｉである波長λｋｊでの光を吸収するように構成され得る。この条件は、すべてのｉ、ｊ＝１、…、Ｎに対して満たされ得る。換言すれば異なる材料Ｍｋｉによって、光の選択的な吸収または通過が、光の波長λｋｊに応じてもたらされ得る。ｊ＜ｉである波長λｋｊでの光は、材料Ｍｋｉを通過可能であり、一方でｊ＞ｉである波長λｋｊでの光は、材料Ｍｋｉにより吸収され得る。
【００１６】
送信器は、Ｋ個の変換器導波路Ｗｋの出力端部でのＫ個の直列多重化された光学信号Ｓｋを、出力導波路上に多重化するように構成される光コンバイナを備え得る。このことは、ＡＷＧ（アレイ導波路回折格子）多重化またはＭＭＩ（マルチモード干渉）多重化などの並列多重化技法を使用して行うことができる。
【００１７】
変換器ＣｋｎのＫ個の群は、Ｋ個のコンバイナ導波路Ｗｋの出力端部が相互に対して横方向の距離をおくように、相互に対して横方向に隔置され得る。換言すれば変換器の群は、それらのそれぞれのコンバイナ導波路Ｗｋに対して並列に配置され得る。すなわち、変換器ＣｋｎのＫ個の群を横断するコンバイナ導波路Ｗｋは並列であり得る。コンバイナは、Ｋ個のコンバイナ導波路Ｗｋ間の横方向の距離が漸進的に低減される、第１の統合部を備え得る。さらにコンバイナは、コンバイナ導波路Ｗｋで搬送される異なる波長λｋｎでの光、すなわち、Ｋ個の直列多重化された光学信号Ｓｋが、出力導波路に通じる接合導波路内部で重畳される、第２の統合部を備え得る。第１の統合部は、Ｋ個のコンバイナ導波路Ｗｋ間の距離を漸進的に低減するように構成される複数のＳ字導波路を備え得る。好ましくは各々のコンバイナ導波路Ｗｋは、対応するＳ字導波路に結合される。
【００１８】
接合コンバイナ導波路Ｗｋ上に多重化される波長間のクロストークを低減するために、活性材料Ｍｋｎおよび対応する波長λｋｎは、コンバイナ導波路Ｗｋに沿った変換器の第ｋの群の隣接する変換器Ｃｋｉ、Ｃｋｉ＋１の一部または全部の対に対して、変換器Ｃｋｉ＋１により放射される波長λｋｉ＋１より大きく、変換器Ｃｋｉにより放射される波長λｋｉより小さい、ｋ＝１、…、Ｋであり、ｎ＝１、…、Ｎである多重化される波長λｋｎの組のＫ−１個の波長が存在するように配置構成され得る。ある実施形態では、活性材料Ｍｋｎおよび対応する波長λｋｎは、任意のｋ＞ｉに対してλｋｎ＞λｉｎであり、任意のｉ＞ｎに対してλｋｎ＞λｋｉであるように配置構成され得る。
【００１９】
上記で概説したように、ｋ＝１、…、Ｋであり、ｎ＝１、…、Ｎである変換器Ｃｋｎは、レーザ、詳細にはＤＦＢレーザであり得る。したがって変換器Ｃｋｎはそれぞれ、ｋ＝１、…、Ｋであり、ｎ＝１、…、Ｎである回折格子周期Λｋｎでの、ｋ＝１、…、Ｋであり、ｎ＝１、…、Ｎである対応する回折格子Ｇｋｎを備え得る。回折格子Ｇｋｎは、変換器Ｃｋｎ内部での変換器導波路Ｗｋの屈折率の周期的な変動として実装され得る。すなわち回折格子Ｇｋｎは、変換器導波路Ｗｋ内部に実装され得るものであり、回折格子は、変換器導波路により横断される各々の変換器に対して異なる場合がある。代わりに、または加えて、回折格子Ｇｋｎは、変換器導波路Ｗｋに平行な別個の層に実装され得る。回折格子Ｇｋｎの回折格子周期Λｋｎは、波長λｋｎでの光が反射されるように選択され得る、すなわち、回折格子Ｇｋｎの回折格子周期Λｋｎは、波長λｋｎに関連付けられ得る。さらに回折格子Ｇｋｎの回折格子周期Λｋｎは、その回折格子が波長λｋｎ以外の波長での光に対して透過的であるように選択され得る。詳細には回折格子Ｇｋｎの回折格子周期Λｋｎは、その回折格子がｊ＜ｋに対して、波長λｊｎでの光に対して透過的であるように選択され得る。ある実施形態では、回折格子周期Λｋｎは次式のように選択される。
【００２０】
【数１】
2013542594.tif 000003
ただし、ｎｅｆｆは回折格子Ｇｋｎの実効屈折率である。すなわち変換器の回折格子周期は、変換器により放射される波長に比例するように選択され得る。
【００２１】
さらなる態様にしたがって、出力導波路上に多重化される、対応する複数の異なる波長での複数の光学信号を生成するための方法を説明する。この方法は、第１の波長および異なる第２の波長での光を放射するように構成される、異なる第１の活性材料および第２の活性材料を備える、第１の変換器および第２の変換器を用意するステップを含み得る。加えてこの方法は、第１の変換器および第２の変換器の、第１の材料および第２の材料を横断する第１の変換器導波路を用意するステップであって、第２の材料が、第１の変換器導波路の出力端部にあり、第１の材料が、第１の変換器導波路の出力端部の上流である入力端部にあるステップを含み得る。第２の活性材料は、第１の波長での光に対して透過的であり得る。第１の変換器導波路の出力端部は、出力導波路に通じ得る。
【００２２】
別の態様にしたがって、本文書で説明する光送信器または光放射器を備える光ネットワーク、例えば光アクセス・ネットワークを説明する。光ネットワークは、多重化された光学信号を送信するための光送信媒体をさらに備え得る。さらに光ネットワークは、対応する光受信器を備え得る。
【００２３】
次に本発明の実施形態による装置および方法の一部の実施形態を、単に例として、および添付の図面を参照して説明する。
【図面の簡単な説明】
【００２４】
【図１】ＡＷＧマルチプレクサおよび複数の電気光変換器の例の概略図である。
【図２】ＭＭＩマルチプレクサおよび複数の電気光変換器の例の図である。
【図２ａ】ＭＭＩマルチプレクサおよび複数の電気光変換器の例の図である。
【図３】直列多重化を使用するＭＭＩマルチプレクサおよび複数の電気光変換器の群の例の概略図である。
【図４】直列多重化を使用する電気光変換器の群の例の概略図である。
【図５】直列多重化を使用するＭＭＩマルチプレクサおよび複数の電気光変換器の群の例の図である。
【図６】直列多重化を使用するＭＭＩマルチプレクサおよび複数の電気光変換器の群の別の例の概略図である。
【発明を実施するための形態】
【００２５】
複数の波長（例えば４つの波長）での光を生成する集積型ＣＷＤＭ放射器は、異なる概念に基づく場合がある。その概念は、複数のＣＷＤＭ光源により生成される光が接合光導波路上に多重化される方途に基づいて異なる場合がある。
【００２６】
異なる波長での光を多重化する第１の選択肢では、シリコン・オン・インシュレータ（ＳＯＩ）に基づくアレイ導波路回折格子（ＡＷＧ）を使用する場合がある。ＡＷＧマルチプレクサは、通常ＰＩＣとして形設され、多数の入力ファイバ、すなわち多数の光チャネルから入来する光が、第１の導波路部に入り、その後異なる長さのいくつかの導波路を通って伝搬し、第２の導波路部に入り、最後に出力ファイバ内に結合される。波長多重化は、干渉効果、および導波路の異なる光路長に基づくものであり、入力ファイバの少なくとも一部の周波数成分が導波路を通って伝搬し、出力ファイバ内の出力は、少なくとも一部の周波数成分のこれらの寄与の重ね合わせ（干渉）から結果として生じる。
【００２７】
図１は、複数の電気光変換器１１（例えば４つの個別的なＣＷＤＭレーザ）およびＡＷＧマルチプレクサを備えるＰＩＣの例示的な概略図を示す。ＡＷＧマルチプレクサは、複数の導波路１２、第１のマルチモード部１３、複数のアレイ導波路１６、第２のマルチモード部１６、および出力導波路１４を備え得る。電気光変換器１１は、電子信号を光学信号、例えば特定の波長での光のパルスに変換するように構成される。電気光変換器１１からの光は、第１の複数の導波路１２を通って伝搬し、第１のマルチモード部１３に入る。第１のマルチモード部１３から、光はアレイ導波路１６に入る。アレイ導波路１６は、干渉パターンが第２のマルチモード部１６で生出されるような、異なる長さのものである。複数の導波路１２、第１のマルチモード部１３、および複数のアレイ導波路１６は、生出される干渉パターンが出力導波路１４（例えばマルチモード導波路）内に信号を集束させるように配置構成される。
【００２８】
ＡＷＧベースのマルチプレクサを使用することが、小さな多重化損失につながる場合がある。ＡＷＧベースのマルチプレクサは、より大きな数のチャネルに対して、すなわちより大きな数の異なるＣＷＤＭ波長に対してスケーリングされ得る。しかしながらこの解決法は、（ｉ）ハイブリッド集積化は、受動および能動の、導波路および構成要素間で精巧な位置合わせを必要とする場合があるので、および（ｉｉ）モノリシック集積化は、大きなＰＩＣチップの寸法につながる場合があるので、コストが非常に高くなる場合がある。
【００２９】
複数のＣＷＤＭレーザの光を多重化するための別の選択肢は、集積型ＭＭＩ（マルチモード干渉）デバイスまたはマルチプレクサである。ＭＭＩマルチプレクサは、ＰＩＣとして形設され得るものであり、複数の入力ファイバから入来する光が、マルチモード導波路部を通って出力導波路（例えば光ファイバ）内に伝搬する。ＭＭＩマルチプレクサの基本原理は、ＭＭＩの自己結像原理である。すなわち、マルチモード導波路部の幅および長さを選択することにより、異なる波長の自己像を、出力導波路内に結合することができる。
【００３０】
図２および２ａは、複数の電気光変換器２１（例えば４つのＣＷＤＭレーザ）と組み合わせたＭＭＩマルチプレクサの例示的な概略図を示す。ＭＭＩマルチプレクサは、複数の導波路２２、マルチモード部２３、および出力導波路２４を備え得る。電気光変換器２１は、電子信号を光学信号、例えば特定の波長での光のパルスに変換するように構成される。電気光変換器２１は、分布帰還型（ＤＦＢ）レーザであり得る。電気光変換器２１からの光は、複数の導波路２２を通って伝搬し、マルチモード部２３に入る。典型的には複数の導波路２２は、複数のＳ字導波路に対応する。マルチモード部２３内の各々のモードは異なる位相速度で伝搬し、したがって、マルチモード部２３に沿った位置に依存する干渉パターンが生出される。マルチモード部２３の幅および長さ、ならびに、マルチモード部２３の下流の出力導波路２４の構成および位置を選択することにより、複数の電気光変換器２１により提供される異なる波長を、出力導波路２４内に多重化することができる。
【００３１】
好ましくは、電気光変換器２１は、各々の導波路２２の曲率が信号損失を回避するために既定のしきい値を超えないように、横方向に布置される。換言すれば、曲率半径は好ましくは十分に大きい。換言すれば、電気光変換器２１は横方向にずらされ、それぞれの変換器２１からマルチモード部２３に通じるＳ字導波路２２の長さを、Ｓ字に起因する損失が既定のしきい値より小さく保たれるように選択することができる。
【００３２】
図２および２ａに図示するような、４つの光チャネルを生成するために４つのＣＷＤＭレーザおよびＭＭＩマルチプレクサを備えるＰＩＣは、デバイスごとにおよそ２ｍｍ２を必要とする場合がある。すなわち、ＣＷＤＭレーザおよびＭＭＩマルチプレクサを備える最大３５００個のデバイスを、４インチのウェハから製造可能である。ＭＭＩマルチプレクサの多重化損失はおよそ６ｄＢであるが、この損失はブースタによって補償可能である。これに対して、８つのＣＷＤＭチャネルに対しては、すなわちチャネルの数を２倍にする場合、デバイスのサイズは、Ｓ字導波路２２の同じ曲率半径を維持するためにおおよそ４倍にしなければならないことになる。このことによって、４インチのウェハから製造可能なＰＩＣの数は１０００未満に低減することになり、したがって集積型ＣＷＤＭ送信器のコストが上昇する。さらにＭＭＩマルチプレクサの損失が９ｄＢより大きくなる場合があり、ＭＭＩマルチプレクサの受動導波路ははるかに長くなる場合がある。その結果製作量および多重化損失は、横方向に配置されるＤＦＢレーザ（すなわち変換器２１）の数を増大するときに、法外なものとなる場合がある。
【００３３】
ＡＷＧ（図１）に、およびＭＭＩ（図２、２ａ）に基づく上述の多重化体系を並列多重化と呼ぶことにする、その理由は、その体系が、複数の並列の（すなわち横方向に隔置された）電気光変換器１１、２１から発生する光の多重化を対象とするからである。ＣＷＤＭ送信器のより高い集積化を考慮するために、すなわち、ＰＩＣの限られた空間上で生成かつ多重化される、より大きな数のＣＷＤＭ波長を考慮するために、並列多重化の代わりに、または並列多重化に加えて使用可能な、波長のいわゆる直列多重化を以下で説明する。
【００３４】
図３は、図２および２ａに関して概説したような並列多重化と直列多重化の両方を使用するＭＭＩマルチプレクサの概略図を示す。変換器２１は、信号経路に沿って直列に配置される変換器の群３１ａａ、３１ａｂ、および３１ｂａ、３１ｂｂにより置換される。図３は、異なる波長での光を生成するように構成される２つの変換器の２つの枝または群３１ａａ、３１ａｂ、および３１ｂａ、３１ｂｂを例示する。図２を参照して説明したように、ＭＭＩマルチプレクサを、複数の電気光変換器３１ａａ、３１ａｂ、３１ｂａ、３１ｂｂから入来する光を多重化するために使用することができる。ＭＭＩマルチプレクサは好ましくは、複数の（Ｓ字）導波路３２、マルチモード部３３、および出力導波路３４を備える。マルチモード部３３を、複数の導波路３２からの光が、例えば図２を参照して説明したような自己結像効果を使用して、出力導波路３４内に多重化されるように配置構成することができる。
【００３５】
電気光変換器３１ａａ、３１ａｂ、３１ｂａ、３１ｂｂは、発光装置であり得る。発光装置は、発光ダイオード（ＬＥＤ）またはレーザであり得る。レーザは、分布帰還型レーザ（ＤＦＢ）のレーザであり得る。詳細にはレーザは、直接変調レーザ（ＤＭＬ）、または、電界吸収型変調（ＥＡＭ）を使用するレーザ、すなわちいわゆる電界吸収型変調レーザ（ＥＭＬ）であり得る。そのような変換器３１ａａ、３１ａｂ、３１ｂａ、３１ｂｂ用に使用される材料は、ヒ化ガリウム、リン化インジウム、アンチモン化ガリウム、および窒化ガリウムなどの半導体材料であり得る。
【００３６】
図３は、波長の直列多重化が、ＭＭＩ多重化に基づく並列多重化に加えて使用される配置構成を示す。結果として所与の数のＣＷＤＭ波長を、許容可能な多重化損失を有する、より小さなＭＭＩマルチプレクサを使用して、出力導波路３４上に多重化することができる。直列多重化は、２つ以上の電気光変換器３１ａａ、３１ａｂを直列に配置することにより実現される。直列多重化の概念を、図３の変換器３１ａａ、３１ａｂの実施形態を示す図４に関して概説する。
【００３７】
変換器３１ａａ、３１ａｂは、電気信号を光学信号に変換するように構成される異なる活性材料を備える。さらに変換器３１ａａおよび３１ａｂは、放射された光学信号を閉じ込めるための光導波路３７を備える。光導波路３７は、２つの変換器３１ａａ、３１ａｂを横断する。詳細には導波路３７は、第１の変換器３１ａａの第１の活性材料、および第２の変換器３１ａｂの第２の活性材料を横断する。第１の活性材料を電気的に刺激することにより、第１の波長区間内の光（第１の波長での光と呼ぶ）が放射され得る。第２の活性材料を電気的に刺激することにより、第２の波長区間内の光（第２の波長での光と呼ぶ）が放射され得る。両方の活性材料を電気的に刺激することにより、第１の波長での光信号および第２の波長での光信号を、導波路３７内部で同時に生成することができる、すなわち、光信号を、変換器３１ａａ、３１ａｂの導波路３７上に直列多重化することができる。導波路３７を、図３に図示するＭＭＩマルチプレクサの導波路３２のうちの１つに対応する導波路３２ａに接続することができる。導波路３７は、導波路３７により搬送される短い波長に対してさえ、シングルモード導波路であり得る。ある実施形態では、第１の活性材料および第２の活性材料から放射される光は、約１４５０ｎｍから約１７５０ｎｍまでの波長区間内の波長の光であり得る。変調された電気信号を使用して変換器３１ａａ、３１ａｂの活性材料を刺激することにより、それぞれ第１の波長および第２の波長での変調された光学信号を生成することができる。
【００３８】
図３および４に例示する配置構成により、電気光変換器、例えば単一波長ＣＷＤＭ放射器により生成される光の並列多重化および直列多重化を、多数の光チャネルを用いる、すなわち多数のＣＷＤＭ波長を用いる多波長ＣＷＤＭ放射器を設計するために使用することができる。詳細にはこの種の直列多重化は、異なるＣＷＤＭチャネル間の波長差が大きく、そのことによって直列多重化されるチャネル間の光クロストークが低減するので、ＣＷＤＭに関して実行可能である。
【００３９】
第１の波長での光が第２の変換器３１ａｂを横断するという事実に鑑みて、第２の変換器３１ａｂで使用される第２の材料は、好ましくは、第１の波長での光が、損失が小さな状態で通過するように選択される。したがって、第１の変換器３１ａａおよび第２の変換器３１ａｂに対する適切な電気光材料を選択することができる。ある実施形態では、第１の変換器３１ａａおよび第２の変換器３１ａｂの材料は、第２の波長が第１の波長より小さいように選択される。特有の波長を放射するための材料を設計することに加えて、特有の放射される波長より大きな波長での光が、影響を受けずに電気光材料を通過するように、材料を設計することができる。したがって第２の変換器３１ａｂの第２の材料を、第２の波長を放射するように設計することができ、その第２の材料を、第２の波長より大きな波長での光（例えば第１の波長での光）を減衰させないように設計することができる。
【００４０】
第１の波長での光を放射することに加えて、第１の変換器３１ａａの材料を、第２の波長での光、すなわち第１の波長より小さな波長での光が吸収されるように選択することができることに留意されたい。
【００４１】
材料に関する上記の条件は、インジウム（Ｉｎ）、ガリウム（Ｇａ）、アルミニウム（Ａｌ）、ヒ化物（Ａｓ）、および／または亜リン酸（Ｐ）を含む半導体材料などの電気光材料の適切な組成物を選択することにより実現することができる。
【００４２】
第１の変換器３１ａａおよび第２の変換器３１ａｂは、ＤＦＢレーザを提供するために、それぞれ第１の回折格子３６ａａおよび第２の回折格子３６ａｂを備え得る。第１の回折格子３６ａａは、第１の波長でのレーザ発振を考慮する回折格子周期を有し得る。第１の回折格子３６ａａおよび第２の回折格子３６ａｂを、変換器導波路３７の材料の屈折率の周期的な変動として実装することができる。屈折率の周期的な変動を、変換器導波路３７の黒色および白色の部分の周期的な連続体により図４に例示する。第１の回折格子３６ａａおよび第２の回折格子３６ａｂはそれぞれ、第１の波長および第２の波長でのレーザ発振を考慮する回折格子周期を有し得る。さらに第２の回折格子３６ａｂは、第１の波長に対して透過的であり得る。
【００４３】
加えて第１の変換器３１ａａおよび第２の変換器３１ａｂはそれぞれ、第１の後部反射器３５ａａおよび第２の後部反射器３５ａｂを備え得る。後部反射器３５ａａ、３５ａｂをそれぞれ、それぞれの変換器３１ａａ、３１ａｂにより放射される光、すなわち第１の波長および第２の波長での光を反射するように構成することができる。さらに第２の後部反射器３５ａｂ、すなわち第２の変換器３１ａｂの後部反射器を、第１の波長での光（の、例えば５０％を超える高い割合）を通過させるように構成することができる。第１の波長および第２の波長での光は、導波路３２ａに向かって下流に進行する。したがって、異なる波長間の後方クロストークを低減することができる。さらに、レーザの全体的な効率を向上させることができる。
【００４４】
図５は、４対１のＭＭＩマルチプレクサおよび４つの対の直列多重化された変換器３１ａａ、３１ａｂの例を示す。したがって、並列多重化および直列多重化を使用する多波長ＣＷＤＭ放射器を例示する。図５によるＣＷＤＭ放射器では、８つのＣＷＤＭチャネルが多重化され、チップの寸法は約０．８５＊３ｍｍ２となり得る。図２ａに示す４対１のＭＭＩマルチプレクサのみを使用するＣＷＤＭ放射器では、寸法は好ましくは約０．８５＊２．５ｍｍ２であった。そのことが意味するのは、図５によるＣＷＤＭ放射器は８つのチャネルを多重化し、このチャネルの数はすなわち、図２に示すＣＷＤＭ放射器により多重化されるチャネルの数の２倍であるが、１つのウェハあたりのデバイスの数は２０％だけ減少するだけであり得るということである。さらに直列多重化は、多重化損失を実質的に増大しない。したがって直列多重化を使用することで、寸法および多重化損失の増大を、（例えば４チャネルＭＭＩマルチプレクサから８チャネルＭＭＩマルチプレクサに移るときに）並列多重化のみを使用するときに直面する、寸法の増大（典型的には４００％）および多重化損失の増大と比較して制限することができる。
【００４５】
変換器３１ａａ、３１ａｂにより生成される異なる波長を、直列多重化される波長間の波長差が大きいように配置構成することができる。このことは、並列多重化用に４つの隣接する波長（１４７１ｎｍ、１４９１ｎｍ、１５１１ｎｍ、１５３１ｎｍ）を選択することにより、および、それぞれの他方の波長（１５５１ｎｍ、１５７１ｎｍ、１５９１ｎｍ、１６１１ｎｍ）に、後に続く４つの波長を直列多重化することにより実現することができる。このことを図５に例示する。波長がそのような様式での直列多重化および並列多重化に起因するものと考えることにより、直列多重化される波長間の差を最大にすることができる。本例では、近接の直列多重化される放射器間の約８０ｎｍの大きなチャネル間隔を実現することができ、そのことによりクロストークを低減するように、ＣＷＤＭ波長は約２０ｎｍだけ隔置される。
【００４６】
上記で概説したように、好ましくは、異なる変換器の材料が適切に選択される。約１４７１ｎｍ（１４９１ｎｍ、１５１１ｎｍ、および１５３１ｎｍそれぞれでも）での光を放射するために使用される材料、すなわち第２の変換器３１ａｂのために使用される材料は、約１５５１ｎｍ（１５７１ｎｍ、１５９１ｎｍ、および１６１１ｎｍそれぞれでも）での光に対して、すなわち第１の変換器３１ａａで放射される光に対して透過的であり得る。このことを行うことにより、直列多重化により引き起こされる多重化損失を低減することができる。さらに、約１５５１ｎｍ（１５７１ｎｍ、１５９１ｎｍ、および１６１１ｎｍそれぞれでも）での光を放射するために使用される材料、すなわち第１の変換器３１ａａのために使用される材料は、約１４７１ｎｍ（１４９１ｎｍ、１５１１ｎｍ、および１５３１ｎｍそれぞれでも）での放射、すなわち第２の変換器３１ａｂで放射される光を完全に吸収することができる。このことを行うことにより、後方クロストークを低減することができる。代わりに、または加えて、負バイアス部、または上記で概説したような反射器を、後方クロストークをさらに低減するために近接の変換器３１ａａと３１ａｂとの間に挿入することができる。
【００４７】
２つの異なる波長での光を放射かつ多重化するための、図４および５の２つの電気光変換器３１ａａ、３１ａｂを例示するが、直列多重化の基礎となる原理は、任意の数の波長に拡張可能であることに留意されたい。一般論的に導波路Ｗ３７は、ｎ＝１、…、Ｎである（Ｎは２以上の任意の整数値である）異なる波長λｎでの光を放射するＮ個の直列連結された変換器Ｃｎ３１ａａ、３１ａｂを横断する場合がある。各々の波長λｎは、ｎ＝１、…、Ｎである異なる波長区間Ｔｎに属する。一般性を失うことなく、異なる波長区間Ｔｎは、減少する波長にしたがって順序付けられる、すなわち、ＴＮが最も小さな波長を含み、Ｔ１が最も大きな波長を含むものとする。
【００４８】
異なる波長λｎを放射するために、変換器Ｃｎ３１ａａ、３１ａｂの連続体は、ｎ＝１、…、Ｎである異なる活性材料Ｍｎを備える、すなわち導波路Ｗ３７は、異なる活性材料Ｍｎを横断する。各々の活性材料Ｍｎをそれぞれ、波長区間Ｔｎに属する波長λｎでの光を放射するように構成することができる。材料ＭＮは変換器Ｃｎの連続体の出力端部に布置されるものとし、材料Ｍ１は、直列接続された変換器Ｃｎの出力端部の反対側または上流である、入力端部または後方端部に布置されるものとする。換言すれば、材料ＭＮは導波路Ｗ３７の出力端部に布置され、材料Ｍ１は導波路Ｗ３７の後方端部に布置される。各々の活性材料Ｍｉは、ｊ＜ｉに対して、波長区間Ｔｊに属する波長λｊでの光を、影響を受けない状態にしておくように構成される。加えて各々の活性材料Ｍｉは、ｊ＞ｉに対して、波長区間Ｔｊに属する波長λｊでの光を吸収するように構成され得る。したがって材料Ｍｉにより放射される光は、導波路Ｗ３７の出力端部に到達するように減衰されることなく材料Ｍｉ＋１、…、ＭＮを通過する。その結果直列多重化を、多重化損失が小さな状態で遂行することができる。他方で、導波路Ｗ３７の後方端部に向かって進行する、すなわち材料Ｍｉ−１、…、Ｍ１に向かって進行する、材料Ｍｉにより放射される光は吸収されることになり、そのことにより後方クロストークを低減する。
【００４９】
適宜、異なる領域および材料を、クロストークをさらに低減するために、ｎ＝１、…、Ｎ−１である異なる反射器Ｒｎ、または負バイアス部により離隔することができる。反射器Ｒｎを、変換器Ｃｎの後方端部に配置することができる。各々の反射器Ｒｎを、波長区間Ｔｎからの波長λｎを反射するように構成することができる。さらに各々の反射器Ｒｎを、ｊ＜ｎに対して、波長区間Ｔｊからの波長λｊを通過させるように構成することができる。同じまたは他の反射器を、レーザキャビティを備える変換器Ｃｎを提供するために使用する場合がある。
【００５０】
上記で変換器Ｃｎの直列接続を、より一般論的に説明した。例えば図５に示すように、変換器の複数のＫ個のそのような直列群を並列に配置することができる、すなわち、変換器のＫ個のそのような直列接続をＰＩＣ上に並列に配置することができる。したがって、ｎ＝１、…、Ｎであり、ｋ＝１、…、Ｋである変換器Ｃｋｎのマトリックスが得られ、個々の値ｋに対する変換器Ｃｋｎが、上記で概説したように共通の導波路Ｗｋ３７を使用して直列に接続される。導波路Ｗｋ３７のＫ個の出力信号を、並列多重化、例えばＭＭＩ多重化またはＡＷＧ多重化を使用して光学的に多重化することができる。したがって、ｎ＝１、…、Ｎであり、ｋ＝１、…、ＫであるＫ＊Ｎ個の波長λｋｎを生成かつ多重化するように構成される、ＣＷＤＭ送信器または放射器を提供することができる。ＣＷＤＭ送信器は変換器ＣｋｎのＫ個の群を備え、変換器の第ｋの群は、ｎ＝１、…、Ｎである波長λｋｎでのＮ個の直列多重化された光学信号を提供する。上記で概説したように、直列多重化を、適切な活性材料Ｍｋｎを選択することにより実現することができる。
【００５１】
直列多重化される波長λｋｎ間のクロストークを低減するために、波長が、変換器Ｃｋｎのマトリックス内部で、導波路Ｗｋに沿った直列変換器の群の隣接する変換器Ｃｋｉ、Ｃｋｉ＋１の一部または全部の対に対して、変換器Ｃｋｉ＋１により放射される波長λｋｉ＋１より大きく、変換器Ｃｋｉにより放射される波長λｋｉより小さい、Ｋ−１個の波長λｋｎが存在するように配置構成され得る。ある実施形態ではこのことを、ｋ＞ｉに対してλｋｎ＞λｉｎであり、ｉ＞ｎに対してλｋｎ＞λｋｉであるようにマトリックス内部で変換器を配置構成することにより実現することができる。
【００５２】
図６は、４対１のＭＭＩマルチプレクサを使用する並列多重化を遂行する前に、変換器の４つの群３１ａ、３１ｂ、３１ｃ、３１ｄにおいて３つの波長が直列に多重化される配置構成の例示的な概略図を示す。図３から５に関して概説したように、ＭＭＩマルチプレクサは、複数の導波路３２、マルチモード部３３、および出力導波路３４を備え得る。電気光変換器の群３１ａ、３１ｂ、３１ｃ、３１ｄはそれぞれ、３つの変換器３１ａａ〜３１ａｃ、３１ｂａ〜３１ｂｃ、３１ｃａ〜３１ｃｃ、および３１ｄａ〜３１ｄｃを横断する、導波路３７ａ、３７ｂ、３７ｃ、３７ｄを備える。各々の導波路３７ａ、３７ｂ、３７ｃ、３７ｄは、３つの異なる活性材料を、すなわち変換器３１ａａ〜３１ａｃ、３１ｂａ〜３１ｂｃ、３１ｃａ〜３１ｃｃ、および３１ｄａ〜３１ｄｃごとに１つの活性材料を、横断または通過する。したがって変換器の各々の群３１ａ、３１ｂ、３１ｃ、３１ｄは、３つの多重化されたＣＷＤＭ波長を放射し、これらの波長は、４対１のＭＭＩマルチプレクサを使用して後で多重化される。
【００５３】
本文書では、異なる波長での光を多重化する方法およびシステムを説明した。詳細には、複数の波長の直列多重化を利用するＣＷＤＭ送信器を説明した。近接の直列多重化される波長間の距離を増大するために、およびそのことによりクロストークを低減するために、直列多重化を（例えばＭＭＩマルチプレクサまたはＡＷＧマルチプレクサを使用する）並列多重化と組み合わせることができる。結果として、低コストおよび小さな損失のＣＷＤＭ送信器を提供することができる。詳細には、高度の回路集積化を伴うＣＷＤＭ送信器を提供することができる。そのようなＣＷＤＭ送信器を、光アクセス・ネットワークで使用するためにＰＩＣとして実装することができる。
【００５４】
説明および図面は、提案した方法およびシステムの原理を例示するだけのものであることに留意されたい。したがってたとえ本明細書で明示的に説明しなくても、または示さなくても、本発明の原理を実施し、本発明の趣旨および範囲の範囲内に含まれる様々な配置構成を当業者が考案可能となることが理解されよう。さらに本明細書に列挙するすべての例は、発明者により当技術分野の振興のために与えられる、提案した方法およびシステムの原理ならびに概念の理解において読者の一助となる、単に教育的な目的のものであることが明確に主として意図されるものであり、そのような具体的に列挙した例および条件への限定を伴わないと解釈されるべきである。さらに本発明の原理、態様、および実施形態、ならびにそれらの具体例を列挙する本明細書でのすべての記載は、それらの均等物を包含することが意図される。
【００５５】
さらに本明細書での任意のブロック図が、本発明の原理を実施する例示的な回路網の概念図を表現することに留意されたい。同様に任意のフローチャート、フロー図、状態遷移図、擬似コード等々が様々な処理を表現し、それらの処理は、コンピュータ可読媒体の形で実質的に表現可能であり、その結果、コンピュータまたはプロセッサにより、そのようなコンピュータまたはプロセッサが明示的に示されようとそうでなかろうと実行可能であることが理解されよう。
【図１】
2013542594.tif 000004
【図２】
2013542594.tif 000005
【図２ａ】
2013542594.tif 000006
【図３】
2013542594.tif 000007
【図４】
2013542594.tif 000008
【図５】
2013542594.tif 000009
【図６】
2013542594.tif 000010
【国際調査報告】
2013542594.tif 000011
2013542594.tif 000012
2013542594.tif 000013